(57)【特許請求の範囲】
【請求項１】
照明器具に着脱自在に装着される光源ユニットであって、
光源モジュールと、
リモートコントローラからの信号を受信するための受信面を有する受信器と、
前記光源モジュールが取り付けられる第１取付面と、前記第１取付面の裏面であり、前記受信器が取り付けられる第２取付面とを有する取付板と、
前記取付板に取り付けられ、前記取付板の前記第１取付面を覆う透光性カバーとを備え、
前記取付板の前記第１取付面から前記第２取付面まで貫通し、前記受信器の前記受信面を前記透光性カバーに臨ませる開口窓が前記取付板に形成されており、
前記受信器は、前記第２取付面に直接取り付けられている光源ユニット。
【請求項２】
前記光源モジュールは、発光素子と、前記発光素子が実装された基板とを有し、
前記開口窓につながり、前記受信器の前記受信面を前記透光性カバーに臨ませる開口穴が前記基板に形成された、請求項１に記載の光源ユニット。
【請求項３】
前記光源モジュールは、前記発光素子として、前記基板の長手方向に沿って前記基板に並べて配置される複数のＬＥＤを有し、
前記開口穴が前記複数のＬＥＤのうち２つのＬＥＤの間に形成された、請求項２に記載の光源ユニット。
【請求項４】
照明器具に着脱自在に装着される光源ユニットであって、
発光素子と、前記発光素子が実装された基板とを有する光源モジュールと、
リモートコントローラからの信号を受信するための受信面を有する受信器と、
前記光源モジュールが取り付けられる第１取付面と、前記第１取付面の裏面であり、前記受信器が取り付けられる第２取付面とを有する取付板と、
前記取付板に取り付けられ、前記取付板の前記第１取付面を覆う透光性カバーと、
ケースと、前記ケースに収納され、前記光源モジュールに点灯用の電力を供給する点灯回路部とを有し、前記取付板の前記第２取付面に取り付けられる電源装置と
を備え、
前記取付板の前記第１取付面から前記第２取付面まで貫通し、前記受信器の前記受信面を前記透光性カバーに臨ませる開口窓が前記取付板に形成されており、
前記開口窓につながり、前記受信器の前記受信面を前記透光性カバーに臨ませる開口穴が前記基板に形成されており、
前記点灯回路部は、支持部によって前記第２取付面に固定されており、
前記受信器は、前記点灯回路部に実装されて前記第２取付面に取り付けられており、
前記受信器が前記電源装置の前記ケースに収納された光源ユニット。
【請求項５】
請求項１から４のいずれか１項に記載の光源ユニットを有する照明装置。
【発明の詳細な説明】
【技術分野】
【０００１】
本発明は、光源ユニット及び照明装置に関するものである。
【背景技術】
【０００２】
リモートコントローラからの光信号を受信して動作する受信器を照明カバーの内部に設ける技術がある（例えば、特許文献１参照）。
【先行技術文献】
【特許文献】
【０００３】
【特許文献１】特開昭６１−３２９９２号公報
【発明の概要】
【発明が解決しようとする課題】
【０００４】
従来技術では、ランプと受信器とを器具本体の同一面に配置している。そのため、受信器の分、照明カバーの厚さが必要となり、照明カバーの薄型化が困難となる。
【０００５】
本発明は、光源ユニットの透光性カバーの薄型化を目的とする。
【課題を解決するための手段】
【０００６】
本発明の一の態様に係る光源ユニットは、
照明器具に着脱自在に装着される光源ユニットであって、
光源モジュールと、
リモートコントローラからの信号を受光するための受光面を有する受光器と、
前記光源モジュールが取り付けられる第１取付面と、前記第１取付面の裏面であり、前記受光器が取り付けられる第２取付面とを有する取付板と、
前記取付板に取り付けられ、前記取付板の前記第１取付面を覆う透光性カバーとを備え、
前記取付板の前記第１取付面から前記第２取付面まで貫通し、前記受光器の前記受光面を前記透光性カバーに臨ませる開口窓が前記取付板に形成されたものである。
【発明の効果】
【０００７】
本発明では、取付板の光源モジュールが取り付けられる面が透光性カバーで覆われ、その面の裏面に受光器が取り付けられる。取付板には、受光器の受光面を透光性カバーに臨ませる開口窓が形成されている。このため、本発明によれば、透光性カバーの薄型化が可能となる。
【図面の簡単な説明】
【０００８】
【図１】実施の形態１に係る照明装置の４面図。
【図２】実施の形態１に係る照明器具の４面図。
【図３】実施の形態１に係る光源ユニットの４面図。
【図４】実施の形態１に係る光源ユニットの透光性カバーを取り外した状態の３面図。
【図５】実施の形態１に係る光源ユニットの透光性カバーを取り外した状態の分解側面図。
【図６】実施の形態２に係る光源ユニットの透光性カバーを取り外した状態の３面図。
【図７】実施の形態２に係る光源ユニットの透光性カバーを取り外した状態の分解側面図。
【発明を実施するための形態】
【０００９】
以下、本発明の実施の形態について、図を用いて説明する。なお、各図中、同一又は相当する部分には、同一符号を付している。実施の形態の説明において、同一又は相当する部分については、その説明を適宜省略又は簡略化する。また、実施の形態の説明において、「上」、「下」、「左」、「右」、「前」、「後」、「表」、「裏」といった配置や向き等は、説明の便宜上、そのように記しているだけであって、装置、器具、部品等の配置や向き等を限定するものではない。装置、器具、部品等の構成について、その材質、形状、大きさ等は、本発明の範囲内で適宜変更することができる。
【００１０】
実施の形態１．
本実施の形態に係る装置の構成、本実施の形態の効果を順番に説明する。
【００１１】
＊＊＊構成の説明＊＊＊
図１から図５を参照して、本実施の形態に係る装置である照明装置１００の構成を説明する。
【００１２】
図１は、照明装置１００の底面、側面、上面、正面を示している。図２は、照明器具１１０の底面、側面、上面、正面を示している。図３は、光源ユニット２００の底面、側面、上面、正面を示している。図４は、光源ユニット２００の透光性カバー２４０を取り外した状態の底面、側面、正面を示している。図５は、図４に示した光源ユニット２００を分解した状態の側面を示している。
【００１３】
図１に示すように、照明装置１００は、照明器具１１０と、照明器具１１０に着脱自在に装着される光源ユニット２００とを備える。
【００１４】
図３及び図４に示すように、光源ユニット２００は、光源モジュール２１０と、受光器２２０と、取付板２３０と、透光性カバー２４０と、電源装置２５０とを備える。
【００１５】
光源モジュール２１０は、発光素子２１１と、発光素子２１１が実装された基板２１２とを有する。
【００１６】
受光器２２０は、リモートコントローラからの信号を受光するための受光面２２１を有する。
【００１７】
取付板２３０は、第１取付面２３１と、第１取付面２３１の裏面である第２取付面２３２とを有する。第１取付面２３１には、光源モジュール２１０及び受光器２２０が取り付けられる。第２取付面２３２には、電源装置２５０が取り付けられる。
【００１８】
透光性カバー２４０は、取付板２３０に取り付けられ、取付板２３０の第１取付面２３１を覆う。
【００１９】
本実施の形態において、光源ユニット２００は、光源モジュール２１０を２つ備えている。それぞれの光源モジュール２１０は、発光素子２１１として、基板２１２の長手方向に沿って基板２１２に並べて配置される複数のＬＥＤを有する。具体的には、それぞれの光源モジュール２１０は、７個のＬＥＤを有する。なお、ＬＥＤの個数は、適宜変更可能であり、光源モジュール２１０ごとに異なっていてもよい。また、それぞれの光源モジュール２１０は、発光素子２１１として、有機ＥＬ或いはレーザといったＬＥＤ以外の発光素子を有していてもよい。
【００２０】
受光器２２０は、上記２つの光源モジュール２１０の間に配置されている。
【００２１】
図５に示すように、電源装置２５０は、ケース２５１と、ケース２５１に収納され、光源モジュール２１０に点灯用の電力を供給する点灯回路部２５２とを有する。
【００２２】
図２に示すように、照明器具１１０は、長尺状の器具本体１１１と、器具本体１１１に取り付けられる２つの取付バネ１１２と、外部から引き込まれる電源線が取り付けられる電源端子台１１３と、外部から引き込まれる信号線が取り付けられる信号端子台１１４とを備える。
【００２３】
器具本体１１１は、２つの傾斜部１２１と、２つの傾斜部１２１に挟まれるように形成される凹部１２２と、傾斜部１２１及び凹部１２２の長手方向の両端部に取り付けられる２つの端板１２３とを備える。
【００２４】
凹部１２２の長手方向の両側には、取付バネ１１２が取り付けられる。取付バネ１１２の間には、電源端子台１１３と信号端子台１１４が取り付けられる。
【００２５】
電源端子台１１３は、第１電線１３１と、第１電線１３１の先端に取り付けられる第１コネクタ１３２を備えている。
【００２６】
第１コネクタ１３２は、第１電線１３１に取り付けられる給電ピンと、給電ピンを収納するコネクタ本体とを備える。コネクタ本体は、任意の形状でよいが、本実施の形態では、角型形状である。コネクタ本体は、給電ピンを収納する給電ピン収納部と、後述する第３コネクタ２６２を係止する係止凸部を備える。
【００２７】
信号端子台１１４は、第２電線１４１と、第２電線１４１の先端に取り付けられる第２コネクタ１４２を備えている。
【００２８】
第２コネクタ１４２は、第２電線１４１に取り付けられる信号ピンと、信号ピンを収納するコネクタ本体とを備える。コネクタ本体は、任意の形状でよいが、本実施の形態では、角型形状である。コネクタ本体は、信号ピンを収納する信号ピン収納部と、後述する第４コネクタ２７２を係止する係止凸部を備える。
【００２９】
前述したように、光源ユニット２００は、光源モジュール２１０と、受光器２２０と、電源装置２５０と、光源モジュール２１０、受光器２２０、電源装置２５０が取り付けられる取付板２３０と、光源モジュール２１０及び受光器２２０を覆うように取付板２３０に取り付けられる透光性カバー２４０とを備える。なお、受光器２２０は、光源モジュール２１０と別体であるが、一体であってもよい。
【００３０】
電源装置２５０は、ケース２５１と、ケース２５１に収納される点灯回路部２５２と、点灯回路部２５２に接続される第３電線２６１及び第４電線２７１と、第３電線２６１及び第４電線２７１にそれぞれ接続される第３コネクタ２６２及び第４コネクタ２７２とを備える。
【００３１】
点灯回路部２５２は、回路基板と、この回路基板に実装され、光源モジュール２１０に電線を介して接続される出力端子ブロック及び電源端子ブロック及び信号端子ブロックを備える。信号端子ブロックは、受光器２２０を介してリモートコントローラから受けた調光機能等の制御用の信号を、他の照明器具や照明制御コントローラに伝達したり、他の照明器具や照明制御コントローラからの信号を受信したりするために実装される。電源端子ブロックには、第３電線２６１を介して第３コネクタ２６２が接続される。信号端子ブロックには、第４電線２７１を介して第４コネクタ２７２が接続される。
【００３２】
＊＊＊効果の説明＊＊＊
本実施の形態では、照明器具１１０に着脱可能に取り付けられる光源ユニット２００が、取付板２３０と、この取付板２３０に固定される光源モジュール２１０及び受光器２２０と、光源モジュール２１０及び受光器２２０を覆うように、取付板２３０に取り付けられる透光性カバー２４０とを有する。本実施の形態によれば、受光器２２０を透光性カバー２４０で覆うことができるので意匠性が向上する。また、リモートコントローラから送信される赤外線信号が、透光性カバー２４０によって拡散透過されるので、透光性カバー２４０内に入った赤外線信号が拡散されて、受光器２２０へ到達しやすくなる。受光器２２０を透光性カバー２４０の内側に配置しているので、受光器２２０を有さない光源ユニットの外観形状と同じにすることができる。受光器２２０を透光性カバー２４０の内側に配置したので、長尺状の細長い光源ユニットであってもリモコン機能が付加でき、また、取付板２３０に受光器２２０を取り付けるので組み立て性も向上する。
【００３３】
光源ユニット２００を照明器具１１０に取り付ける際、第１コネクタ１３２は第３コネクタ２６２に、第２コネクタ１４２は第４コネクタ２７２に接続する。このように、電源端子台１１３と信号端子台１１４とを器具本体１１１側に取り付けることによって、照明器具１１０を天井等の被取付部分に固定したとき、電源線と調光信号線とをそれぞれ電源端子台１１３と信号端子台１１４とに接続することができる。そして、その後、第１コネクタ１３２及び第２コネクタ１４２を介して光源ユニット２００との結線を行えばよいため、結線の作業性が向上する。
【００３４】
また、電源端子台１１３と信号端子台１１４とに接続する外部から引き込まれた電線をそれぞれ凹部１２２の両側に離した状態で留めることができる。そのため、複数の照明装置１００を長手方向に並べ、それぞれの照明装置１００の凹部１２２に送り電線を入れた場合、それぞれの電線間の距離を離すことができるので、互いに与える電気ノイズの影響を低減することができる。
【００３５】
実施の形態２．
本実施の形態に係る装置の構成、本実施の形態の効果を順番に説明する。主に実施の形態１との差異を説明する。
【００３６】
＊＊＊構成の説明＊＊＊
図６及び図７を参照して、本実施の形態に係る装置である照明装置１００の構成を説明する。
【００３７】
図６は、光源ユニット２００の透光性カバー２４０を取り外した状態の底面、側面、正面を示している。図７は、図６に示した光源ユニット２００を分解した状態の側面を示している。
【００３８】
図６に示すように、本実施の形態において、取付板２３０の第１取付面２３１には、光源モジュール２１０が取り付けられる。取付板２３０の第２取付面２３２には、電源装置２５０及び受光器２２０が取り付けられる。即ち、本実施の形態では、受光器２２０が、第１取付面２３１ではなく、第１取付面２３１の裏面である第２取付面２３２に取り付けられる。
【００３９】
取付板２３０には、開口窓２３３が形成されている。開口窓２３３は、取付板２３０の第１取付面２３１から第２取付面２３２まで貫通し、受光器２２０の受光面２２１を透光性カバー２４０に臨ませる。
【００４０】
基板２１２には、開口穴２１３が形成されている。開口穴２１３は、開口窓２３３につながり、受光器２２０の受光面２２１を透光性カバー２４０に臨ませる。
【００４１】
本実施の形態において、光源ユニット２００は、光源モジュール２１０を１つ備えている。光源モジュール２１０は、発光素子２１１として、基板２１２の長手方向に沿って基板２１２に並べて配置される複数のＬＥＤを有する。具体的には、光源モジュール２１０は、１５個のＬＥＤを有する。なお、ＬＥＤの個数は、適宜変更可能であり、実施の形態１におけるＬＥＤの合計の個数と同じ１４個でもよい。また、光源モジュール２１０は、発光素子２１１として、有機ＥＬ或いはレーザといったＬＥＤ以外の発光素子を有していてもよい。
【００４２】
開口穴２１３は、上記複数のＬＥＤのうち２つのＬＥＤの間に形成されている。具体的には、開口穴２１３は、上記１５個のＬＥＤのうち、一方の端から４個目のＬＥＤと５個目のＬＥＤとの間に形成されている。なお、開口穴２１３は、一方の端から７個目のＬＥＤと８個目のＬＥＤとの間といったように、別の２つのＬＥＤの間に形成されていてもよい。
【００４３】
図７に示すように、電源装置２５０は、ケース２５１と、ケース２５１に収納される点灯回路部２５２と、ケース２５１の内部で点灯回路部２５２を支持する支持部２５３と、点灯回路部２５２に接続される第３電線２６１及び第４電線２７１と、第３電線２６１及び第４電線２７１にそれぞれ接続される第３コネクタ２６２及び第４コネクタ２７２とを備える。
【００４４】
受光器２２０は、ケース２５１に収納されている。受光器２２０は、支持部２５３によって取付板２３０の第２取付面２３２に固定された点灯回路部２５２に実装されることで、第２取付面２３２に取り付けられている。このように、本実施の形態では、受光器２２０が、点灯回路部２５２及び支持部２５３を介して間接的に第２取付面２３２に取り付けられている。なお、受光器２２０は、第２取付面２３２に直接取り付けられてもよい。
【００４５】
実施の形態１と同じように、光源ユニット２００は、光源モジュール２１０と、受光器２２０と、電源装置２５０と、取付板２３０と、透光性カバー２４０とを備える。
【００４６】
取付板２３０には、受光器２２０の少なくとも受光部分が露出するように、開口窓２３３が形成される。
【００４７】
光源ユニット２００の組み立て手順は、以下の通りである。
（１）取付板２３０に、開口穴２１３の位置と開口窓２３３の位置とが一致するように、光源モジュール２１０を固定する。
（２）光源モジュール２１０からの電線と、第３コネクタ２６２に接続されている第３電線２６１と、第４コネクタ２７２に接続されている第４電線２７１とをそれぞれ点灯回路部２５２に取り付ける。
（３）点灯回路部２５２を、光源モジュール２１０を固定した取付板２３０の面の裏面側に、開口穴２１３及び開口窓２３３から受光器２２０が露出するように取り付ける。
（４）点灯回路部２５２を覆うようにケース２５１を取付板２３０に取り付ける。
（５）光源モジュール２１０を覆うように透光性カバー２４０を取付板２３０に取り付ける。
【００４８】
＊＊＊効果の説明＊＊＊
本実施の形態では、取付板２３０の光源モジュール２１０が取り付けられる面が透光性カバー２４０で覆われ、その面の裏面に受光器２２０が取り付けられる。取付板２３０には、受光器２２０の受光面２２１を透光性カバー２４０に臨ませる開口窓２３３が形成されている。このため、本実施の形態によれば、透光性カバー２４０の薄型化が可能となる。また、意匠性が向上する。
【００４９】
基板２１２には、受光器２２０の受光面２２１を透光性カバー２４０に臨ませる開口穴２１３が形成されている。このため、本実施の形態によれば、実施の形態１のように、光源モジュール２１０を２分割する必要がない。また、実施の形態１と同じ間隔でＬＥＤを配置したとしても、実施の形態１よりも多くのＬＥＤを配置することができる。
【００５０】
本実施の形態では、受光器２２０が電源装置２５０のケース２５１に収納されている。このため、本実施の形態によれば、ケース２５１の内部のスペースを有効活用できるとともに、互いに接続する必要のある受光器２２０と電源装置２５０の点灯回路部２５２とを近くに配置することができる。
【００５１】
また、本実施の形態では、電源装置２５０の点灯回路部２５２と取付板２３０の第２取付面２３２との間に隙間が空くように、点灯回路部２５２が支持部２５３によって支持されている。このため、本実施の形態によれば、点灯回路部２５２と第２取付面２３２との間に、受光器２２０を設置するスペースを確保することができる。よって、点灯回路部２５２の第２取付面２３２に対向する面に受光器２２０を配置することができる。
【００５２】
本実施の形態では、取付板２３０の開口窓２３３から受光器２２０を露出させることで、受光器２２０を透光性カバー２４０で覆うことができるので意匠性が向上する。また、実施の形態１と同じように、リモートコントローラから送信される赤外線信号が、透光性カバー２４０によって拡散透過されるので、透光性カバー２４０内に入った赤外線信号が拡散されて、受光器２２０へ到達しやすくなる。
【００５３】
以上、本発明の実施の形態について説明したが、これらの実施の形態のうち、いくつかを組み合わせて実施しても構わない。或いは、これらの実施の形態のうち、いずれか１つ又はいくつかを部分的に実施しても構わない。例えば、これらの実施の形態の説明において「部」として説明するもののうち、いずれか１つのみを採用してもよいし、いくつかの任意の組み合わせを採用してもよい。なお、本発明は、これらの実施の形態に限定されるものではなく、必要に応じて種々の変更が可能である。
【符号の説明】
【００５４】
１００  照明装置、１１０  照明器具、１１１  器具本体、１１２  取付バネ、１１３  電源端子台、１１４  信号端子台、１２１  傾斜部、１２２  凹部、１２３  端板、１３１  第１電線、１３２  第１コネクタ、１４１  第２電線、１４２  第２コネクタ、２００  光源ユニット、２１０  光源モジュール、２１１  発光素子、２１２  基板、２１３  開口穴、２２０  受光器、２２１  受光面、２３０  取付板、２３１  第１取付面、２３２  第２取付面、２３３  開口窓、２４０  透光性カバー、２５０  電源装置、２５１  ケース、２５２  点灯回路部、２５３  支持部、２６１  第３電線、２６２  第３コネクタ、２７１  第４電線、２７２  第４コネクタ。
【図１】
0006501550.tif 000002
【図２】
0006501550.tif 000003
【図３】
0006501550.tif 000004
【図４】
0006501550.tif 000005
【図５】
0006501550.tif 000006
【図６】
0006501550.tif 000007
【図７】
0006501550.tif 000008